【手続補正書】
【提出日】平成18年12月28日(2006.12.28)
【手続補正１】
【補正対象書類名】特許請求の範囲
【補正対象項目名】全文
【補正方法】変更
【補正の内容】
【特許請求の範囲】
【請求項１】
複数のアンチスパムモジュールを有するシステムでメッセージがスパムであるか判定する方法であって、
ａ）前記複数のアンチスパムモジュールのうち１つを呼び出すステップと、
ｂ）前記複数のアンチスパムモジュールのうち１つからスパム信頼水準を受信するステップと、
ｃ）チューニングファクタを前記スパム信頼水準に適用して調整されたスパム信頼水準を作成するステップと、
ｄ）前記調整されたスパム信頼水準を合計されたスパム信頼水準に加えるステップと、
ｅ）前記合計されたスパム信頼水準を少なくとも１つの閾値と比較するステップと、
ｆ）前記合計されたスパム信頼水準が前記少なくとも１つの閾値より大きい場合、前記少なくとも１つの閾値に関連したアクションを呼び出すステップと、
ｇ）前記合計されたスパム信頼水準が前記少なくとも１つの閾値より小さい場合、ステップａ〜ｆを繰り返すステップと
を備えることを特徴とする方法。
【請求項２】
前記少なくとも１つの閾値は最高閾値および最低閾値を含む複数の閾値を備え、前記方法は、
前記合計されたスパム信頼水準を前記複数の閾値の各々と比較するステップと、
前記合計されたスパム信頼水準が前記複数の閾値の少なくとも１つより高いか判定するステップと、
前記合計されたスパム信頼水準が前記複数の閾値の少なくとも１つより高い場合、
前記複数の閾値の少なくとも１つのうちどれが前記最高閾値に最も近いか判定するステップと、
前記複数の閾値の少なくとも１つに関連したアクションを呼び出すステップと
をさらに備えることを特徴とする請求項１記載の方法。
【請求項３】
前記チューニングファクタを前記スパム信頼水準に適用するステップは、スケーリングファクタを各スパム信頼水準に適用するステップを備え、
前記スケーリングファクタを適用するステップは、
１つずつ前記スパム信頼水準を位取りすること、および
前記複数のアンチスパムモジュールのうち１つにおいてユーザの信頼水準によって前記スパム信頼水準をスケールすること
のうち１つまたは複数をさらに備えることを特徴とする請求項１記載の方法。
【請求項４】
前記チューニングファクタを前記スパム信頼水準へ適用するステップは、非線形信頼水準正規化を用いて前記スパム信頼水準を正規化するステップを備えることを特徴とする請求項３記載の方法。
【請求項５】
前記アクションを呼び出すステップは、前記メッセージを削除すること、未配信通知を送信すること、および前記メッセージを前記合計されたスパム信頼水準を持ったクライアントへパスすることの１つを呼び出すことを含むことを特徴とする請求項１記載の方法。
【請求項６】
前記アクションを呼び出すステップは、
前記合計されたスパム信頼水準が第１の閾値水準を上回る場合、接続をドロップすること、
前記合計されたスパム信頼水準が第２の閾値水準を上回り前記第１の閾値水準より低い場合、未配信メッセージを送り主に返すこと、および
前記メッセージが第３の閾値水準を上回り前記第２の閾値水準より低い場合、前記メッセージをジャンクメールフォルダに配信することを特徴とする請求項１記載の方法。
【請求項７】
前記合計されたスパム信頼水準を前記メッセージへ加えるステップをさらに備えることを特徴とする請求項１記載の方法。
【請求項８】
前記複数のアンチスパムモジュールは、ブラックホールリストおよびターフリストのうち１つを含むことを特徴とする請求項１記載の方法。
【請求項９】
複数のアンチスパムモジュールのスパム信頼水準を統合する方法であって、
前記複数のアンチスパムモジュールのうち少なくとも１つを呼び出してメッセージを処理するステップと、
前記複数のアンチスパムモジュールのうち少なくとも１つから前記メッセージのスパム信頼水準を受信するステップと、
チューニングファクタを前記スパム信頼水準へ適用して調整されたスパム信頼水準を作成するステップと、
前記調整されたスパム信頼水準を合計されたスパム信頼水準へ加えるステップと、
前記合計されたスパム信頼水準を少なくとも１つの閾値と比較するステップと、
前記合計されたスパム信頼水準が前記少なくとも１つの閾値より大きい場合、前記少なくとも１つの閾値に関連したアクションを呼び出すステップと
を備えることを特徴とする方法。
【請求項１０】
前記複数のアンチスパムモジュールのうち少なくとも１つを呼び出すステップは、前記合計されたスパム信頼水準が前記少なくとも１つの閾値より大きくなるまで、および前記複数のアンチスパムモジュールの全てが呼び出されるまで、前記複数のアンチスパムモジュールを呼び出すステップを備えることを特徴とする請求項９記載の方法。
【請求項１１】
前記アクションを呼び出すステップは、
前記合計されたスパム信頼水準が第１の閾値水準を上回る場合、接続をドロップすること、
前記合計されたスパム信頼水準が第２の閾値水準を上回り、前記第１の閾値水準より低い場合、未配信メッセージを送り主に返すこと、および
前記メッセージが第３の閾値水準を上回り、前記第２の閾値水準より低い場合、前記メッセージをジャンクメールフォルダに配信すること
を含むことを特徴とする請求項９記載の方法。
【請求項１２】
チューニングファクタを適用するステップは、
１つずつ前記スパム信頼水準をスケールすることを備えること、
前記複数のアンチスパムモジュールの１つの信頼水準によって前記スパム信頼水準をスケールすることを備えること、および
非線形信頼水準正規化を用いて前記スパム信頼水準を正規化すること
のうちの１つまたは複数を備えることを特徴とする請求項９記載の方法。
【請求項１３】
コンピュータに、複数のアンチスパムモジュールを有するシステムでメッセージがスパムであるかの判定を実行させるコンピュータ実行可能命令を有するコンピュータ可読媒体であって、前記命令は、
ａ）前記複数のアンチスパムモジュールのうち少なくとも１つを呼び出すステップと、
ｂ）前記複数のアンチスパムモジュールのうち少なくとも１つから前記メッセージのスパム信頼水準を受信するステップと、
ｃ）チューニングファクタを前記スパム信頼水準に適用して正規化されたスパム信頼水準を作成するステップと、
ｄ）前記正規化されたスパム信頼水準を合計されたスパム信頼水準に加えるステップと、
ｅ）前記合計されたスパム信頼水準を少なくとも１つの閾値と比較するステップと、
ｆ）前記合計されたスパム信頼水準が前記少なくとも１つの閾値より大きい場合、前記少なくとも１つの閾値に関連したアクションを呼び出すステップと、
ｇ）前記合計されたスパム信頼水準が前記少なくとも１つの閾値より低い場合、前記合計されたスパム信頼水準のうち１つが前記少なくとも１つの閾値より大きくなるまで、および前記複数のアンチスパムモジュールが呼び出されるまで、ステップａ〜ｆを繰り返すステップと
を備えることを特徴とするコンピュータ可読媒体。
【請求項１４】
前記少なくとも１つの閾値は、最高閾値および最低閾値を含む複数の閾値を備え、前記命令は、
前記合計されたスパム信頼水準を前記複数の閾値の各々と比較するステップと、
前記合計されたスパム信頼水準は前記複数の閾値のうち少なくとも１つより大きいか判定するステップと、
前記合計されたスパム信頼水準が前記複数の閾値のうち少なくとも１つより大きい場合、前記最高閾値に最も近い、前記複数の閾値のうち少なくとも１つに関連したアクションを呼び出すステップと
をさらに備えることを特徴とする請求項１３記載のコンピュータ可読媒体。
【請求項１５】
前記チューニングファクタを前記スパム信頼水準に適用するステップは、スケーリングファクタを各スパム信頼水準に適用するステップを備えることを特徴とする請求項１３記載のコンピュータ可読媒体。
【請求項１６】
前記スケーリングファクタを適用するステップは、
１つずつ前記スパム信頼水準をスケールすること備えること、および
前記複数のアンチスパムモジュールのうち１つにおいてユーザの信頼水準によって前記スパム信頼水準をスケールすること
のうちの１つまたは複数を備えることを特徴とする請求項１５記載のコンピュータ可読媒体。
【請求項１７】
前記チューニングファクタを前記スパム信頼水準に適用するステップは、非線形信頼水準正規化を用いて前記スパム信頼水準を正規化するステップを備えることを特徴とする請求項１３記載のコンピュータ可読媒体。
【請求項１８】
前記アクションを呼び出すステップは、
前記メッセージを削除すること、
未配信通知を送信すること、
前記メッセージを前記合計されたスパム信頼水準を持ったクライアントへパスすることのうちの１つを呼び出すこと、および
前記メッセージにおける受領者アドレスのリストを提供すること
のうちの１つまたは複数を備えることを特徴とする請求項１３記載のコンピュータ可読媒体。
【請求項１９】
前記アクションを呼び出すステップは、
前記合計されたスパム信頼水準が第１の閾値水準を上回る場合、接続をドロップすること、
前記合計されたスパム信頼水準が第２の閾値水準を上回り、前記第１の閾値水準より低い場合、未配信メッセージを送り主へ返すこと、および
前記メッセージが第３の閾値水準を上回り、前記第２の閾値水準より低い場合、前記メッセージをジャンクメールフォルダへ配信すること
を含むことを特徴とする請求項１３記載のコンピュータ可読媒体。
【請求項２０】
前記命令は、
前記合計されたスパム信頼水準を前記メッセージへ加えるステップ、および
前記メッセージのエンコードされたコンテンツを解読するステップ
のうちの１つまたは複数をさらに備えることを特徴とする請求項１３記載のコンピュータ可読媒体。